(57)【要約】【課題】鍋の大きさに限定されない鍋載置部を加熱部とは異なる位置にトッププレートと一体化して設けることができるようにする。【解決手段】本体１と、本体１内に設けられた加熱コイルと、加熱コイルを覆うガラス製のトッププレート２と、このトッププレート２の周縁部に設けられた金属製のフレーム３とを備えた誘導加熱調理器１００において、フレーム３の一部を鍋載置部８とする。これにより、鍋載置部８によってガラス製のトッププレート２を割ってしまうような事故を未然に防止し、安全性を向上させる。【選択図】図１
2013171776.tif 000002
【特許請求の範囲】
【請求項１】
本体と、
前記本体内に設けられた加熱コイルと、
前記加熱コイルを覆うガラス製のトッププレートと、
前記トッププレートの周縁部に設けられた金属製のフレームとを備えた誘導加熱調理器において、
前記フレームの一部を鍋載置部としたことを特徴とする誘導加熱調理器。
【請求項２】
前記フレームの後側の辺部を前記鍋載置部としたことを特徴とする請求項１記載の誘導加熱調理器。
【請求項３】
少なくとも前記フレームの前記鍋載置部の分、前記トッププレートの面積を小さくしたことを特徴とする請求項１又は請求項２記載の誘導加熱調理器。
【請求項４】
前記フレームは、前記トッププレートの上面に接着されており、少なくとも該フレームの前記鍋載置部側の辺部には、当該フレームの上面と前記トッププレートの上面との間の段差を緩和するために傾斜面が設けられていることを特徴とする請求項１乃至請求項３のいずれかに記載の誘導加熱調理器。
【請求項５】
前記フレームの前記鍋載置部に、鍋を載置する目安となる目印を付けたことを特徴とする請求項１乃至請求項４のいずれかに記載の誘導加熱調理器。
【請求項６】
前記目印は、前記フレームの一部を絞って形成した環状のビードで構成されていることを特徴とする請求項５記載の誘導加熱調理器。
【請求項７】
前記フレームの前記鍋載置部に、鍋を載置する目安となる凹部を設けたことを特徴とする請求項１乃至請求項４のいずれかに記載の誘導加熱調理器。
【請求項８】
前記フレームの前記鍋載置部の裏面に、断熱材を貼り付けたことを特徴とする請求項１乃至請求項７のいずれかに記載の誘導加熱調理器。
【発明の詳細な説明】
【技術分野】
【０００１】
本発明は、誘導加熱調理器に関するものである。
【背景技術】
【０００２】
従来より、誘導加熱調理器の本体上に鍋載置部を有する誘導加熱調理器がある。例えば、加熱部での鍋の位置決めと、調理時に高温となる鍋の側面に使用者が触れるのを防止するために、本体の加熱部上で鍋の把手部を支持して鍋を鍋底が浮いた状態で保持する鍋ガードを着脱自在に設け、この鍋ガードは、調理後に誘導加熱調理器から外して、テーブル上で鍋置き台として使用できるようにしたものがある（例えば、特許文献１参照）。
【０００３】
また、誘導加熱調理器の本体の加熱コイル上にガラス製の保護板を介して鍋載置板を着脱自在に設け、清掃性を向上させたものがある（例えば、特許文献２参照）。
【先行技術文献】
【特許文献】
【０００４】
【特許文献１】特開平９−３０６６５９号公報（図１〜図３）
【特許文献２】特開昭６３−４５８５号公報（第１図、第２図）
【発明の概要】
【発明が解決しようとする課題】
【０００５】
特許文献１に記載されているような誘導加熱調理器では、特定の大きさの鍋に合わせて鍋ガードが制作されているので、鍋の大きさが限定されてしまう。
【０００６】
特許文献２に記載されているような誘導加熱調理器では、鍋載置板を本体上のガラス製の保護板から分離可能に構成しているので、誤って鍋載置板を落下させてガラス製の保護板を割ってしまうという危惧が存在する。
【０００７】
本発明は、前記のような課題を解決するためになされたもので、鍋の大きさに限定されない鍋載置部を加熱部とは異なる位置にトッププレートと一体化して設けることができるようにすることを目的とする。
【課題を解決するための手段】
【０００８】
本発明に係る誘導加熱調理器は、本体と、本体内に設けられた加熱コイルと、加熱コイルを覆うガラス製のトッププレートと、このトッププレートの周縁部に設けられた金属製のフレームとを備えた誘導加熱調理器において、前記フレームの一部を鍋載置部としたものである。
【発明の効果】
【０００９】
本発明の誘導加熱調理器においては、加熱コイルを覆うガラス製のトッププレートの周縁部に設けられた金属製のフレームの一部を鍋載置部としたので、鍋の大きさに限定されない鍋載置部を加熱部とは異なる位置にトッププレートと一体化して設けることができる。このため、鍋載置部によってガラス製のトッププレートを割ってしまうような事故は未然に防止でき、安全性が向上する。
【図面の簡単な説明】
【００１０】
【図１】本発明の実施形態１に係る誘導加熱調理器の外観を示す斜視図である。
【図２】本発明の実施形態１に係る誘導加熱調理器の鍋載置部の構成を示す側面視の断面図である。
【図３】本発明の実施形態２に係る誘導加熱調理器の鍋載置部の構成を示す側面視の断面図である。
【図４】本発明の実施形態３に係る誘導加熱調理器の外観を示す斜視図である。
【図５】本発明の実施形態４に係る誘導加熱調理器の鍋載置部の構成を示す側面視の断面図である。
【図６】本発明の実施形態５に係る誘導加熱調理器の鍋載置部の構成を示す側面視の断面図である。
【図７】本発明の実施形態６に係る誘導加熱調理器の鍋載置部の構成を示す側面視の断面図である。
【図８】本発明の実施形態７に係る誘導加熱調理器の鍋載置部の構成を示す側面視の断面図である。
【発明を実施するための形態】
【００１１】
実施形態１．
図１は本発明の実施形態１に係る誘導加熱調理器の外観を示す斜視図である。図２は本発明の実施形態１に係る誘導加熱調理器の鍋載置部の構成を示す側面視の断面図である。
本発明の実施形態１の誘導加熱調理器１００は、図１及び図２のように外郭を構成する加熱調理器本体１（以下、本体１という）と、本体１の上部開口面を覆うように取り付けられ、周縁部にフレーム３を有するトッププレート２とを備えている。
【００１２】
トッププレート２は、調理を行う際に上面に調理容器を載置するものであり、非誘導加熱体であるガラス（例えば結晶化ガラス）やセラミック等で構成されている。そして、このトッププレート２の下には、加熱コイルを備えた２つのコイルユニット４，５が配置されている。
【００１３】
フレーム３は、ステンレス材等の、錆難く剛性を持った素材で構成され、トッププレート２の周縁部の上面にシリコン接着剤６にて接着され、一体化されている。このフレーム３の前側の辺部には、操作パネル部７が設けられている。また、フレーム３の後側の辺部は、前後方向の寸法が前側の辺部よりも大きく設定され、鍋載置部８として構成されている。そして、本発明においては、フレーム３の後側の辺部の前後方向の寸法が大きくなった分、つまり鍋載置部８の分、トッププレート２の面積が小さくなっている。ここでは、フレーム３の鍋載置部８の前縁部が全体として内側にくるように設定して、トッププレート２の面積を小さくしている。このトッププレート２の面積を小さくする手法としては、その他に、フレーム３の鍋載置部８の前縁部が、鍋載置部８に沿って円弧状に内側にくるように設定することで、トッププレート２の面積が小さくなるようにしてもよいものである。いずれにせよ、スペースの確保が側方に比べて容易なフレーム３の後側の辺部に鍋載置部８を配置することで、鍋載置部８の設置が容易となる。
【００１４】
トッププレート２の前後方向の寸法は、従来は３８０ｍｍ程度となっていたが、本発明では２８０ｍｍ程度に圧縮されている。この前後方向の寸法２８０ｍｍは、実調理で使用頻度が高く面積も大きなフライパン調理で支障がない寸法である。
【００１５】
これにより、本発明の実施形態１に係る誘導加熱調理器においては、平面的に見たトッププレート２とフレーム３の占める全体の面積の拡大を抑制しつつ、トッププレート２の後方のフレーム３部に鍋載置部８を設けることを可能としている。さらに、高価なガラス製のトッププレート２の占める面積の比率を従来よりも狭くすることで、フレーム３部に鍋載置部８を確保できるようにしているので、コストを大幅に低減させることができる。
【００１６】
複数の鍋調理をした場合、従来は調理済みの鍋を誘導加熱調理器１００から調理台に移動させて、他の鍋で調理しなければならず、調理台が狭くなり、調理の下準備に邪魔になったり、熱い鍋での火傷の心配があった。これに対し、本発明の誘導加熱調理器１００においては、加熱部であるトッププレート２の後方のフレーム３部を調理済みの鍋を載置できる鍋載置部８としたので、先に調理した鍋やフライパンを鍋載置部８に移動させ、次の調理用鍋を加熱部で調理することが可能となる。調理済み鍋やフライパンを鍋載置部８に移動できるので、邪魔にならず、調理をスムーズに行うことができる。したがって、使用者にとって使い勝手が向上し、安全性も向上する。
【００１７】
また、鍋載置部８は、金属製のフレーム３により形成されているので、鍋載置部８上で例え具材の入った重たい調理済みの鍋を落下させることがあってもガラスのように割れるようなことはなく、この点からも安全性が向上する。
【００１８】
実施形態２．
図３は本発明の実施形態２に係る誘導加熱調理器の鍋載置部の構成を示す側面視の断面図であり、前述の実施形態１に相当する部分には同一符号を付してある。
本発明の実施形態２に係る誘導加熱調理器は、図３のようにフレーム３の少なくとも鍋載置部８が設けられている側の辺部に、当該フレーム３の上面とトッププレート２の上面との間の段差を緩和するために傾斜面９を設けたものである。それ以外の構成は前述の実施形態１のものと同様である。
【００１９】
本発明の実施形態２に係る誘導加熱調理器においては、フレーム３の鍋載置部８が設けられている側の辺部とトッププレート２との間の段差が傾斜面９により緩和されているので、トッププレート２の上面からフレーム３の上面への鍋の移動がスムーズになる。このため、鍋を移動する際に、鍋がフレーム３の辺部の角に当たった振動で調理汁がこぼれたりするようなことはなくなる。
【００２０】
なお、ここでは、傾斜面９をフレーム３の鍋載置部８側の辺部にのみ設けたものを例に挙げて説明したが、フレーム３のトッププレート２を囲む辺部の全てに傾斜面９を設けてもよい。
【００２１】
実施形態３．
図４は本発明の実施形態３に係る誘導加熱調理器の外観を示す斜視図であり、前述の実施形態１に相当する部分には同一符号を付してある。
本発明の実施形態３に係る誘導加熱調理器２００は、図４のようにフレーム３の鍋載置部８に、鍋を載置する目安となる例えば印字などによる目印（図４に破線で示す）１１，１２を付けたものである。それ以外の構成は前述の実施形態１のものと同様である。
【００２２】
本発明の実施形態３に係る誘導加熱調理器においては、フレーム３の鍋載置部８に、鍋を載置する目安となる目印１１，１２を付けたので、鍋を置く位置を使用者に知らせることができる。また、使用者にとっては、使い勝手のよい誘導加熱調理器２００が得られる。
【００２３】
実施形態４．
図５は本発明の実施形態４に係る誘導加熱調理器の鍋載置部の構成を示す側面視の断面図であり、前述の実施形態３に相当する部分には同一符号を付してある。
本発明の実施形態４に係る誘導加熱調理器は、図５のようにフレーム３の鍋載置部８側の面の一部を絞って形成した環状のビード１１ａ，１２ａを、フレーム３の鍋載置部８の鍋を載置する目安となる目印としたものである。なお、ビード１１ａ，１２ａの高さ寸法は、鍋１０をずらして載置する場合にも邪魔にならない０．５〜２ｍｍの高さ寸法に設定している。それ以外の構成は前述の実施形態３のものと同様である。
【００２４】
本発明の実施形態４に係る誘導加熱調理器においても、フレーム３の鍋載置部８に、鍋を載置する目安となるビード１１ａ，１２ａを付けたので、鍋１０を置く位置を使用者に知らせることができる。また、使用者にとっては、使い勝手のよい誘導加熱調理器が得られる。なお、鍋を載置する目安となるビード１１ａ，１２ａは、かすれることが無く、かつ汚れにも強いので、長期に亘り、目印の機能を維持することができる。
【００２５】
また、環状のビード１１ａ，１２ａは、調心機能を有しているので、鍋１０の安定化が図れる。
【００２６】
実施形態５．
図６は本発明の実施形態５に係る誘導加熱調理器の鍋載置部の構成を示す側面視の断面図であり、前述の実施形態３に相当する部分には同一符号を付してある。
本発明の実施形態５に係る誘導加熱調理器は、図６のようにフレーム３の鍋載置部８に凹部１３を設け、この凹部１３を、鍋を載置する目安となる目印としたものである。なお、凹部１３の段差（深さ）寸法は、鍋をずらして載置する場合にも大きな振動とならない０．５〜２ｍｍの段差（深さ）寸法に設定している。それ以外の構成は前述の実施形態３のものと同様である。
【００２７】
本発明の実施形態５に係る誘導加熱調理器においても、フレーム３の鍋載置部８に、鍋を載置する目安となる凹部１３を設けたので、鍋１０を置く位置を使用者に知らせることができる。また、使用者にとっては、使い勝手のよい誘導加熱調理器が得られる。
【００２８】
また、凹部１３は、調心機能を有しているので、鍋１０の安定化が図れる。
【００２９】
実施形態６．
図７は本発明の実施形態６に係る誘導加熱調理器の鍋載置部の構成を示す側面視の断面図であり、前述の実施形態４に相当する部分には同一符号を付してある。
本発明の実施形態６に係る誘導加熱調理器は、前述の実施形態４で説明したフレーム３のビード１１ａ，１２ａを有する鍋載置部８の裏面に、図７のようにビード１１ａ，１２ａの下面に形成される空間部を含め断熱材１４を貼り付けたものである。それ以外の構成は前述の実施形態３のものと同様である。
【００３０】
本発明の実施形態６に係る誘導加熱調理器においては、ビード１１ａ，１２ａを有する鍋載置部８の裏面に断熱材１４を貼り付けているので、鍋載置部８に調理後の鍋を置いても、被調理物の温度を冷め難くすることができる。
【００３１】
実施形態７．
図８は本発明の実施形態７に係る誘導加熱調理器の鍋載置部の構成を示す側面視の断面図であり、前述の実施形態５に相当する部分には同一符号を付してある。
本発明の実施形態７に係る誘導加熱調理器は、前述の実施形態５で説明したフレーム３の凹部１３を有する鍋載置部８の裏面に、図８のように凹部１３の下面を包み込むように断熱材１５を貼り付けたものである。それ以外の構成は前述の実施形態３のものと同様である。
【００３２】
本発明の実施形態７に係る誘導加熱調理器においても、凹部１３を有する鍋載置部８の裏面に断熱材１５を貼り付けているので、鍋載置部８に調理後の鍋を置いても、被調理物の温度を冷め難くすることができる。
【符号の説明】
【００３３】
１  本体、２  トッププレート、３  フレーム、４，５  コイルユニット、６  シリコン接着剤、７  操作パネル部、８  鍋載置部、９  傾斜面、１０  鍋、１１，１２  目印、１１ａ，１２ａ  ビード、１３  凹部、１４，１５  断熱材、１００，２００  誘導加熱調理器。
【図１】
2013171776.tif 000003
【図２】
2013171776.tif 000004
【図３】
2013171776.tif 000005
【図４】
2013171776.tif 000006
【図５】
2013171776.tif 000007
【図６】
2013171776.tif 000008
【図７】
2013171776.tif 000009
【図８】
2013171776.tif 000010